(57)【要約】【課題】  電気機器に電源オンするためのリモコンコードを送信した場合に、誤動作を生ずることなく、確実に低消費電力モードから通常動作モードに移行させ電源オンすることである。【解決手段】電気機器１０は、電気機器の動作を制御するための制御用マイコン２を備えている。制御用マイコン２は、リモコン送信機１より送信されたリモコンコードを判別するとともに、判別したリモコンコードの内容に応じて電気機器１０の制御を行う。  リモコン送信機１は、電源キー１ａがオンされると、リーダーコードＬと電源オンを表すデータコードＤとリピートコードＲとにより構成されるリモコンコードを電気機器１０に送信する。【選択図】  図１
2005191965.tif 000002
【特許請求の範囲】
【請求項１】
電気機器を低消費電力モードから通常動作モードに移行させる電源オンを行うためのリモコンコードを電気機器に送信するリモコンコードの送信方法であって、
前記電気機器は、送信されたリモコンコードを判別するとともに判別したリモコンコードの内容に応じて前記電気機器を制御する制御用マイコンを備えており、
前記電源オンを表すリモコンコードを送信する工程が、リーダーコードを送信する第一の工程と、前記リーダーコードを送信した後に電源オンを表すデータコードを送信する第二の工程と、電源オンを表すデータコードを送信した後にリピートコードを送信する第三の工程とを備えることを特徴とするリモコンコードの送信方法。
【請求項２】
電気機器を操作するための操作キーを備えるリモコン送信機であって、
前記電気機器は、操作された操作キーに応じて前記リモコン送信機より送信されたリモコンコードを判別するとともに判別したリモコンコードの内容に応じて当該電気機器を制御する制御用マイコンを備えており、
前記電気機器を低消費電力モードから通常動作モードに移行させる電源オンを行うための当該リモコン送信機の電源キーに割り当てられるリモコンコードが、リーダーコードと、電源オンを表すデータコードと、前記データコードが送信された後に送信されるリピートコードとを備えて構成されるリモコン送信機。
【請求項３】
電気機器と、前記電気機器を操作するための操作キーが設けられたリモコン送信機とを備える電気機器セットであって、
前記電気機器は、操作された操作キーに応じて前記リモコン送信機より送信されたリモコンコードを判別するとともに判別したリモコンコードの内容に応じて前記電気機器を制御する制御用マイコンを備えており、
当該リモコン送信機の電源オンするための電源キーに割り当てられるリモコンコードが、リーダーコードと、電源オンを表すデータコードと、前記データコードが送信された後に送信されるリピートコードとを備えて構成される電気機器セット。
【発明の詳細な説明】
【技術分野】
【０００１】
本発明は、電気機器を動作させるリモコンコードを電気機器に送信するリモコンコードの送信方法、リモコン送信機及び電気機器セットに関する。
【背景技術】
【０００２】
テレビ受像機等の電気機器のうち、リモコン送信機によって操作できるようにされたものがある。リモコン送信機には、各種の操作キーが設けられている。そして、電気機器の使用者（以下、電気機器の「ユーザ」ともいう）が操作キーを操作すると、操作された操作キーに割り当てられているリモコンコードがリモコン送信機より送信される。
【０００３】
この電気機器は、制御用マイクロコンピュータ（以下、「制御用マイコン」という）を備えている。そして、制御用マイコンは、リモコン送信機より送信されたリモコンコードを判別するとともに、判別したリモコンコードの内容に応じて電気機器の動作を制御する。
【０００４】
そして、電気機器は、低消費電力モードの動作と通常動作モードの動作とが切り替えられるようにされている。即ち、電気機器が商用の交流電源に接続されているが電気機器が電源オンされていない状態では、低消費電力モードの動作を行うようになっている。この低消費電力モードでは、電気機器の制御用マイコンは必要最小限の動作を行っており、電気機器の電力の消費を必要最小限とするようにされている。
【０００５】
そして、電気機器は、電源オンされると低消費電力モードから通常動作モードに移行する。そして、電気機器を操作するためのリモコン送信機には電源キーが備わっており、この電源キーを操作することによって電気機器を電源オンすることができる。
【０００６】
ところで、電気機器の動作モードを前記低消費電力モードから通常動作モードに切り替えるためには、以下に説明するように、制御用マイコンの処理に一定の時間を要する。
【０００７】
制御用マイコンの動作の基準となるクロック周波数は低消費電力モードと通常動作モードとで異なっており、この二つのクロック周波数に対応させた二つの発振子が制御用マイコンに設けられている。そして、低消費電力モードから通常動作モードに切り替わる時には、制御用マイコンは使用する発振子を切り替えるので、この発振子を切り替えるための処理に一定の時間を要する。
【０００８】
これにより、制御用マイコンは、リモコン送信機より送信されたリモコンコードを判別する処理を行えない場合を生ずる。これにより、リモコン送信機の電源キーが操作されても、電気機器が低消費電力モードから通常動作モードに切り替えられない場合がある。
【０００９】
ここで、従来のリモコン送信機として、電源キーがオンされると、パワーオンコードを最初に送信することにより、その後に送信される電源オンを表すデータコードをより確実に処理できるようにしたものがある（例えば、特許文献１参照）。
【００１０】
また、従来のリモコンコードを送信して電気機器を制御する方法として、誤ったリモコン入力により電気機器が誤って電源オンされることを防ぐ方法も知られている（例えば、特許文献２参照）。
【特許文献１】特開平２００１−９５０７３号公報
【特許文献２】特開平２００１−１７７８８５号公報
【発明の開示】
【発明が解決しようとする課題】
【００１１】
しかし、従来のリモコン送信機によると、電源キーがオンされた場合に必ずしもリモコンコードを確実に処理することができず、低消費電力モードから通常動作モードに確実に切り替えることができない場合があった。
【００１２】
そこで、本発明は、より確実に低消費電力モードから通常動作モードに切り替えることができる、リモコンコードの送信方法、リモコン送信機及び電気機器セットを提供することを目的とする。
【課題を解決するための手段】
【００１３】
上記課題を解決するため、本発明は、電気機器を低消費電力モードから通常動作モードに移行させる電源オンを行うためのリモコンコードを電気機器に送信するリモコンコードの送信方法であって、
前記電気機器は、送信されたリモコンコードを判別するとともに判別したリモコンコードの内容に応じて前記電気機器を制御する制御用マイコンを備えており、
前記電源オンを表すリモコンコードを送信する工程が、リーダーコードを送信する第一の工程と、前記リーダーコードを送信した後に電源オンを表すデータコードを送信する第二の工程と、前記電源オンを表すデータコードを送信した後にリピートコードを送信する第三の工程とを備えることを特徴とするリモコンコードの送信方法である（請求項１）。
【００１４】
一般に、電気機器に電源オンするためのリモコンコードが送信されると、電気機器を制御する制御用マイコンは、以下のように処理を行う。制御用マイコンは、送信されたリモコンコード中のリーダーコードを検出すると、使用する発振子を切り替える処理を行い、低消費電力モードから通常動作モードへの移行に備える。そして、制御用マイコンは、リーダーコードの後に送信される電源オンを表すデータコードを検出すると、通常動作モードに切り替える処理を行う。
【００１５】
ここで、制御用マイコンがリーダーコードを検出できなかったり、発振子を切り替える処理に遅れを生じて電源オンを表すデータコードの一部を確実に処理できない場合には、通常動作モードに切り替えることができず、電気機器を電源オンすることができなかった。
【００１６】
本発明によると、電気機器を電源オンするリモコンコードを送信するにあたり、電源オンを表すデータコードに続いてリピートコードを送信する。このリピートコードを送信することにより、制御用マイコンが前記リーダーコードを検出できない場合や前記電源オンを表すデータコードの一部を検出できない場合であっても、制御用マイコンは電源オンを表すデータコードが送信されたことを確実に判別することができる。
【００１７】
これにより、電源オンするためのリモコンコードを送信すると、確実に電気機器を低消費電力モードから通常動作モードへ移行させ、電源オンすることができる。そして、本発明では、リピートコードを送信するので、リモコンコードが複雑となることなく、このリモコンコードを処理する制御用マイコンの処理を簡易にでき、リモコンコードの信号処理に伴う電力消費を抑制することもできる。
【００１８】
また、本発明は、電気機器を操作するための操作キーを備えるリモコン送信機であって、
前記電気機器は、操作された操作キーに応じて前記リモコン送信機より送信されたリモコンコードを判別するとともに判別したリモコンコードの内容に応じて当該電気機器を制御する制御用マイコンを備えており、
前記電気機器を低消費電力モードから通常動作モードに移行させる電源オンを行うための当該リモコン送信機の電源キーに割り当てられるリモコンコードが、リーダーコードと、電源オンを表すデータコードと、前記データコードが送信された後に送信されるリピートコードとを備えて構成されるリモコン送信機である（請求項２）。
【００１９】
この発明のリモコン送信機によると、前記リピートコードを送信するので、電気機器の制御用マイコンは、前記電源オンを表すデータコードが送信されたことを確実に判別することができる。
【００２０】
即ち、制御用マイコンは、リーダーコードを検出できない場合や電源オンを表すデータコードの一部を検出できない場合でも、リピートコードにより、電源オンを表すデータコードが送信されたことを確実に判別できる。これにより、リモコン送信機の電源キーがオンされると、電気機器を確実に低消費電力モードから通常動作モードに移行させ、電源オンすることができる。
【００２１】
そして、この発明のリモコン送信機によると、リモコンコードが複雑となることなく、このリモコンコードを処理する制御用マイコンの処理を簡易にでき、リモコンコードの信号処理に伴う電力消費を抑制することもできる。
【００２２】
また、本発明は、電気機器と、前記電気機器を操作するための操作キーが設けられたリモコン送信機とを備える電気機器セットであって、
前記電気機器は、操作された操作キーに応じて前記リモコン送信機より送信されたリモコンコードを判別するとともに判別したリモコンコードの内容に応じて前記電気機器を制御する制御用マイコンを備えており、
当該リモコン送信機の電源オンするための電源キーに割り当てられるリモコンコードが、リーダーコードと、電源オンを表すデータコードと、前記データコードが送信された後に送信されるリピートコードとを備えて構成される電気機器セットである（請求項３）。
【００２３】
この発明によると、リモコン送信機が前記リピートコードを送信するので、電気機器の制御用マイコンは、前記電源オンを表すデータコードが送信されたことを確実に判別することができる。
【００２４】
即ち、制御用マイコンは、リーダーコードを検出できない場合や電源オンを表すデータコードの一部を検出できない場合でも、リピートコードにより、電源オンを表すデータコードが送信されたことを確実に判別できる。これにより、リモコン送信機の電源キーがオンされると、電気機器を確実に低消費電力モードから通常動作モードに移行させ、電源オンすることができる。
【００２５】
そして、この発明によると、リモコン送信機が送信するリモコンコードが複雑となることなく、このリモコンコードを処理する制御用マイコンの処理を簡易にでき、リモコンコードの信号処理に伴う電力消費を抑制することもできる。
【発明の効果】
【００２６】
本発明は、以上説明したような形態で実施され、以下に記載するような効果を奏する。本発明によると、電源オンを行うためのリモコンコードを電気機器に送信した場合に、電気機器を低消費電力モードから通常動作モードへ確実に切り替えることができる。
【００２７】
そして、本発明によると、電気機器を電源オンするためのリモコンコードが複雑となることなく、リモコンコードを処理する制御用マイコンの処理を簡易にでき、リモコンコードの信号処理に伴う電力消費を低減させることもできる。
【発明を実施するための最良の形態】
【００２８】
本発明の実施の形態について、図１及び図２に基づいて説明する。図１は、本発明の一実施形態である電気機器セット２０の概略構成を示すブロック図である。図１に示される電気機器セット２０は、本発明の実施形態であるリモコン送信機１及び電気機器１０を備えている。そして、本発明の一実施形態であるリモコンコードの送信方法は、以下に説明する電気機器セット２０を用いて実施することができる。
【００２９】
電気機器セット２０は、リモコン送信機１と電気機器１０を備えている。リモコン送信機１は、電気機器セット２０を使用する使用者（以下、「ユーザ」ともいう）により電気機器１０を操作するために用いられる。リモコン送信機１には、電気機器１０を操作するための各種の操作キーが設けられている。
【００３０】
リモコン送信機１には、電源キー１ａが設けられている。電源キー１ａは、電気機器１０を電源オン又は電源オフするための操作キーである。電気機器１０は、電源キー１ａがオンされておらず電源オフされている状態では、低消費電力モードの動作を行っている。
【００３１】
即ち、電気機器１０は、図示されない商用の交流電源に接続されているが電源オンされていない状態では、後に説明する制御用マイクロコンピュータ（以下、「制御用マイコン」ともいう）２が必要最小限の動作を行っている。この電気機器１０の動作は、低消費電力モードの動作である。
【００３２】
そして、リモコン送信機１の電源キー１ａがオンされ、この電源キー１ａの操作に応じて送信されたリモコンコードが制御用マイコン２により正しく処理されると、電気機器１０は電源オンされる。そして、電気機器１０は、電源オンされると、通常動作モードの動作を行う。
【００３３】
また、リモコン送信機１には、電気機器１０を操作するための他の各種の操作キーが設けられている。例えば、電気機器１０がテレビ受信機である場合には、リモコン送信機１には、受信する放送チャンネルを選択するためのチャンネル選択キーの他、電気機器１０をテレビ受信機として機能させるための各種の操作キーが設けられている。
【００３４】
また、電気機器１０が記録再生装置である場合には、リモコン送信機１には、記録媒体に記録を行うための記録キーや、記録媒体の内容を再生するための再生キーが設けられている。
【００３５】
そして、リモコン送信機１の各操作キーが操作されると、各操作キーに割り当てられているリモコンコードが送信される。リモコン送信機１より送信されたリモコンコードは、電気機器１０のリモコン受光部３により受信される。このリモコンコードは、赤外線が各リモコンコードに応じた一定のパルスで変調されて形成されている。
【００３６】
電気機器１０は、リモコン受光部３と制御用マイコン２を備えている。リモコン受光部３は、リモコン送信機１より送信されたリモコンコードを受信する。リモコン受光部３により受信されたリモコンコードは、後に説明する制御用マイコン２のキー判別処理部２ａに入力される。
【００３７】
制御用マイコン２は、電気機器１０の動作の制御を行う。制御用マイコン２は、キー判別処理部２ａ、モード切り替え処理部２ｂ、及び制御部２ｃを備えている。また、制御用マイコン２は、メイン発振子６とサブ発振子７を備えている。
【００３８】
これらの発振子６及び７は、各々が制御用マイコン２の動作の基準となるクロック周波数を発生させる。制御用マイコン２は、低消費電力モードでは、サブ発振子７を用いる。そして、制御用マイコン２は、低消費電力モードを解除した場合及び通常動作モードとなった場合に、メイン発振子６を用いる。
【００３９】
メイン発振子６として、クロック周波数が８ＭＨｚ（メガヘルツ）のものを設けることができる。また、サブ発振子７として、クロック周波数が３２ＫＨｚ（キロヘルツ）のものを設けることができる。
【００４０】
キー判別処理部２ａは、操作された操作キーを判別する処理を行う。キー判別処理部２ａは、操作キーの種類に応じてリモコン送信機１より送信されたリモコンコードを判別し、判別したリモコンコードの内容を表す判別信号を制御部２ｃに出力する。
【００４１】
モード切り替え処理部２ｂは、制御用マイコン２の動作モードを切り替える処理を行う。このモード切り替え処理部２ｂにより、後に説明するように、低消費電力モードに設定され又は低消費電力モードが解除され、もしくは通常動作モードに設定され又は通常動作モードが解除される。
【００４２】
モード切り替え処理部２ｂは、制御用マイコン２が動作を行う基準として用いる発振子を切り替える処理を行う。このモード切り替え処理部２ｂが発振子を切り替えることにより、制御用マイコン２の動作モードが変更される。
【００４３】
モード切り替え処理部２ｂは、制御部２ｃより入力される制御信号に応じて、メイン発振子６とサブ発振子７とを切り替える処理を行う。制御部２ｃは、低消費電力モードにある状態で後に説明するリーダーコードＬの入力を表す判別信号がキー判別処理部２ａより入力されると、メイン発振子６への切り替えを内容とする制御信号をモード切り替え処理部２ｂに出力する。これにより、制御用マイコン２は低消費電力モードを解除する。
【００４４】
さらに、制御部２ｃは、低消費電力モードが解除された状態で後に説明する電源オンを表すデータコードＤを内容とする判別信号がキー判別処理部２ａより入力されると、通常動作モードへの切り替えを内容とする制御信号をモード切り替え処理部２ｂに出力する。これにより、制御用マイコン２は、通常動作モードに設定される。
【００４５】
また、制御部２ｃは、通常動作モードにある状態で電源キー１ａがオフされたことを表す判別信号がキー判別処理部２ａより入力されると、サブ発振子７への切り替えを内容とする制御信号をモード切り替え処理部２ｂに出力する。これにより、制御用マイコン２は、低消費電力モードに設定される。
【００４６】
また、制御部２ｃは、以上に説明したモード切り替え処理部２ｂの制御の他、電気機器１０の制御に必要なその他の処理も行う。
【００４７】
なお、制御用マイコン２は、図示しないＣＰＵ（中央演算処理装置）とＲＯＭ（読み出し専用メモリ）とＲＡＭ（読み書き可能メモリ）を備えている。そして、キー判別処理部２ａ、モード切り替え処理部２ｂ及び制御部２ｃは、制御用マイコン２のＲＯＭに格納された所要のプログラムによってモジュール化されている。また、制御用マイコン２のＲＯＭには、電気機器１０を制御するためのその他の制御プログラムも格納されている。
【００４８】
また、制御用マイコン２には、外部メモリ５が接続されている。外部メモリ５には、制御用マイコン２が電気機器１０を制御するにあたって、一定期間保存しておくべきデータが記憶されている。
【００４９】
次に、リモコン送信機１の電源キー１ａがオンされた場合の動作について、図２により説明する。図２は、電源キー１ａがオンされた場合にリモコン送信機１より送信されるリモコンコード、及び電源キー１ａがオンされることに基づき制御用マイコン２が動作モードを切り替える動作を表している。
【００５０】
図２において、Ｉは電源キー１ａをオンすることによって送信されるリモコンコードの信号波形のタイミングチャートである。また、図２において、IIは制御用マイコン２が動作モードを切り替えるタイミングを表すタイミングチャートである。
【００５１】
図２において、横方向は時間ｔに対応しており、図２の右方向に進むに従って時間ｔが経過するとして表している。また、図２において、ｔ＝０は電源キー１ａがオンされたタイミングを意味する。また、図２に示されるタイミングチャートＩについて、縦方向はパルス信号の信号値に対応している。
【００５２】
タイミングチャートＩに示されるように、電源キー１ａがオンされることにより送信されるリモコンコードは、リーダーコードＬとデータコードＤとリピートコードＲとによって構成されている。この電源キー１ａがオンされることにより送信されるリモコンコードは、リーダーコードＬに続いてデータコードＤが送信され、データコードＤに続いてリピートコードＲが送信される。データコードＤについては、カスタムコードＣとカスタムコードＣに続いて送信されるキーコードＫとによって構成されている。
【００５３】
リーダーコードＬは、制御用マイコン２にリモコンコードが送信されることを認識させるためのコードである。データコードＤに含まれるカスタムコードＣは、リモコン送信機１により送信されるリモコンコードの符号体系を識別するためのコードであり、リモコン送信機１により送信されるリモコンコードの種類を識別するためのコードである。
【００５４】
データコードＤに含まれるキーコードＫは、電気機器１０に対する具体的な制御動作の内容を表すコードである。電源キー１ａをオンすることによって送信されるキーコードＫは、「電源オン」を表している。
【００５５】
リピートコードＲは、直前に送信されたデータコードＤを繰り返すことを表すコードである。一つのデータコードＤを送信した後にリピートコードＲを送信すると、複数のデータコードＤを連続して送信したように制御用マイコン２に認識させることができる。
【００５６】
このリピートコードＲは、一般的なリモコン送信機において、操作キーのいわゆる長押し操作を識別するためのコードとして用いられることがある。即ち、一つの操作キーが長押しされた場合に、この操作キーに割り当てられる一つのデータコードに続けてリピートコードＲを送信するようにしたリモコン送信機がある。
【００５７】
そして、リピートコードＲを一つのデータコードＤに続けて送信すると、このデータコードＤを繰り返し送信した場合と同じ動作を電気機器に行わせることができる。
【００５８】
このリピートコードＲは、データコードＤに比べて波長周期の短いパルスにより形成されている。これにより、リピートコードＲを用いると、データコードＤを連続して送信する場合に比べ、リモコン送信機１からの送信を短時間で行うことができ、また制御用マイコン２によるリモコンコードの判別処理を短時間で行うこともできる。
【００５９】
これにより、制御用マイコン２がリモコンコードを判別処理するにあたって、誤判断することなく、リモコンコードを確実に判別処理することができる。
【００６０】
以上に説明したように電源キー１ａがオンされると、制御用マイコン２は以下のように動作する。制御用マイコン２は、タイミングチャートIIに示されるように、リーダーコードＬのパルスの立下りｄ１を検出すると、使用する発振子をサブ発振子７からメイン発振子６に切り替え、低消費電力モードを解除する。
【００６１】
制御用マイコン２は、低消費電力モードを解除した後に動作が安定するまでの時間としてＴ１時間を要する。このＴ１時間は、一般的に１０ｍｓｅｃ程度である。
【００６２】
そして、制御用マイコン２は、低消費電力モードを解除してからＴ１時間が経過した後に、電源オンを表すデータコードＤ（リピートコードＲにより表現されたデータコードＤも含む）を検出すると、通常動作モードに移行する。この通常動作モードとされた状態が、電気機器１０が電源オンされた状態である。
【００６３】
なお、以上に説明した電気機器１０は、リモコン送信機１より送信されたリモコンコードに応じて制御用マイコン２により制御される、各種の電気機器に応用することができる。
【００６４】
例えば、電気機器１０をテレビ放送を受信するテレビ受信機に応用することができる。また、電気機器１０を、映像や音声を記録するとともに再生を行う記録再生装置に用いることもできる。
【００６５】
そして、電気機器１０がテレビ受信機として応用される場合には、テレビ放送を受信するためのチューナやテレビ放送を出力するためのテレビモニタ等、テレビ受信機として機能させるための部材が電気機器１０に設けられる。
【００６６】
また、電気機器１０が記録再生装置として応用される場合には、記録媒体への記録を行う記録機能を有する記録ユニットや記録媒体を再生する再生機能を有する再生ユニット等、記録再生装置として機能させるための部材が電気機器１０に設けられる。
【００６７】
以上に説明した電気機器セット２０によると、電気機器１０を電源オンするためのリモコンコードが、電源オンを表すデータコードＤに続いてリピートコードＲを送信するように構成されている。
【００６８】
これにより、制御用マイコン２は、ユーザにより電源キー１ａをオンする操作が行われると、この操作が行われたことを確実に認識でき、確実に低消費電力モードから通常動作モードへ移行することができる。
【００６９】
そして、この電気機器セット２０によると、制御用マイコン２が電源キー１ａがオンされた際に発振子を切り替える処理に一定の時間を要し、リーダーコードＬを検出できない場合やデータコードＤの一部を検出できない場合であっても、低消費電力モードから通常動作モードへ確実に移行することができる。
【００７０】
そして、この電気機器セット２０によると、以上に説明したように、電源オンを表すデータコードＤを送信した後にリピートコードＲを送信することで、低消費電力モードから通常動作モードへの移行を確実にしている。これにより、リモコンコードを複雑にすることなく、制御用マイコン２がリモコンコードを処理する手順を簡易にでき、また、この信号処理に伴う電力消費を抑制することもできる。
【００７１】
例えば、低消費電力モードから通常動作モードへの移行を確実にするため、電源オンを表すデータコードＤを電気機器１０に繰り返し送信することもできる。しかし、データコードＤを繰り返し送信するようにすると、リモコンコードが複雑となり、繰り返し送信されたデータコードＤを制御用マイコン２が処理する手順も複雑となり、また、この信号処理に伴う電力消費の増大を招く。
【００７２】
本発明によると、低消費電力モードから通常動作モードへの移行を確実にするにあたって、制御用マイコン２が処理する手順を簡易にでき、その信号処理に伴う電力消費を抑制することもできる。
【図面の簡単な説明】
【００７３】
【図１】本発明の一実施形態である電気機器セットの概略構成を示すブロック図である。
【図２】リモコン送信機の電源キーをオンした場合の動作を示す図である。
【符号の説明】
【００７４】
１    リモコン送信機
１ａ  電源キー
２    制御用マイコン
２ａ  キー判別処理部
２ｂ  モード切り替え処理部
２ｃ  制御部
３    リモコン受光部
５    外部メモリ
１０    電気機器
２０    電気機器セット
【図１】
2005191965.tif 000003
【図２】
2005191965.tif 000004